(57)【要約】ワイヤレス通信のための方法が提供される。方法は、ワイヤレスネットワークのセル間のハンドオーバを容易にするハンドオーバパラメータのセットを決定することと、ハンドオーバパラメータのセットの分析することと、を含む。方法は、セル間のハンドオーバの失敗を軽減するために動的にパラメータを調節することを含む。
2011527156.tif 000002
【特許請求の範囲】
【請求項１】
ハンドオーバパラメータのセットを分析することと、
セル間のハンドオーバに関連する失敗を軽減するために前記ハンドオーバパラメータのセットから少なくとも１つのパラメータを動的に調節することと、
を備えるワイヤレス通信のための方法。
【請求項２】
前記ハンドオーバパラメータのセットは、監視期間（ＴＴＴ）、サービングセルのためのオフセット、セル個別のオフセット（ＣＩＯ）、近隣セルのセル特有のオフセット（ＯＦＳ）、サービングセルのセル特有のオフセット（ＯＣＳ）、あるいはイベントのためのヒステレシスパラメータを含む、
請求項１に記載の方法。
【請求項３】
あまりに早く生じるハンドオーバまたはあまりに遅く生じるハンドオーバに関連する１つまたは複数の失敗を検出することをさらに備え、早いおよび遅いは、測定レポートまたは性能指標を分析すること、およびしきい値と比較することによって定義される、
請求項１に記載の方法。
【請求項４】
あまりに早くまたはあまりに遅く生じるハンドオーバは、それぞれＭｎおよびＭｓである、近隣セルまたはサービングセルの信号強度を分析することによって決定される、
請求項３に記載の方法。
【請求項５】
呼が落ちる、呼のセットアップ失敗、あるいはハンドオーバ手順の前、間、後の無線リンク失敗を分析することをさらに備える、
請求項３に記載の方法。
【請求項６】
リソース予約失敗、リソースリリース失敗、シグナリング失敗、タイマ終了、内部故障、プレーンパススイッチング失敗によるハンドオーバに関連する失敗を分離することをさらに備える、
請求項１に記載の方法。
【請求項７】
単一セルモデルまたは多数のセルモデルに従ってハンドオーバを分析することをさらに備える、
請求項１に記載の方法。
【請求項８】
ハンドオーバの失敗が単一セルまたは多数のセルに関連するかどうか判断するために測定レポートおよび性能指標を分析することをさらに備える、
請求項７に記載の方法。
【請求項９】
ハンドオーバの遅くトリガを引くことを軽減するため監視期間を減少させることをさらに備える、
請求項１に記載の方法。
【請求項１０】
ハンドオーバの遅くトリガを引くことを軽減するためにオフセットパラメータを減少させることをさらに備える、
請求項１に記載の方法。
【請求項１１】
ハンドオーバの遅くトリガを引くことを軽減するためにセル個別のオフセット（ＣＩＯ）パラメータを増加させることをさらに備える、
請求項１に記載の方法。
【請求項１２】
ハンドオーバの早くトリガを引くことを軽減するために監視期間を増加させることをさらに備える、
請求項１に記載の方法。
【請求項１３】
ハンドオーバの早くトリガを引くことを軽減するためにオフセットパラメータを増加させることをさらに備える、
請求項１に記載の方法。
【請求項１４】
ハンドオーバの早くトリガを引くことを軽減するためにセル個別のオフセット（ＣＩＯ）パラメータを減少させることをさらに備える、
請求項１に記載の方法。
【請求項１５】
自動的にパラメータセッティングを決定するために前記ハンドオーバパラメータのセットに対する最大値、最小値、平均値、あるいは標準偏差値を分析することをさらに備える、
請求項１に記載の方法。
【請求項１６】
ハンドオーバパラメータのセットを処理し、セル間のハンドオーバに関連する失敗を軽減するために前記ハンドオーバパラメータのセットから１つまたは複数のパラメータを自動的に調節する、ための命令を保持するメモリと、
前記命令を実行するプロセッサと、
を備える通信装置。
【請求項１７】
前記ハンドオーバパラメータのセットは、監視期間（ＴＴＴ）、サービングセルのためのオフセット、セル個別のオフセット（ＣＩＯ）、近隣セルのセル固有のオフセット（ＯＦＳ）、サービングセルのセル固有のオフセット（ＯＣＳ）またはイベントのためのヒステリシスパラメータを含む、
請求項１６に記載の通信装置。
【請求項１８】
あまりに早く生じるハンドオーバまたはあまりに遅く生じるハンドオーバに関連する１つまたは複数の失敗を検出するための命令をさらに備え、早いおよび遅いは、測定レポートまたは性能指標を分析し、前記測定レポートからのデータをしきい値と比較することによって定義される、
請求項１６に記載の通信装置。
【請求項１９】
１つまたは複数のハンドオーバパラメータのためのセッティングを決定するために測定レポートを分析するための命令をさらに備える、
請求項１８に記載の通信装置。
【請求項２０】
前記測定レポートを考慮して前記１つまたは複数のハンドオーバパラメータのためのタイミング値を自動的に増加または減少させるための命令をさらに備える、
請求項１９に記載の通信装置。
【請求項２１】
ワイヤレスネットワークのセル間のハンドオーバを容易にするハンドオーバパラメータのセットを処理するための手段と、
前記ハンドオーバパラメータのセットに関連するフィードバックを分析するための手段と、
前記セル間のハンドオーバに関連する失敗を軽減するために前記ハンドオーバパラメータのセットのうちの少なくとも１つを調節するための手段と、
を備える通信装置。
【請求項２２】
前記フィードバックは、監視期間（ＴＴＴ）、サービングセルのためのオフセット、セル個別のオフセット（ＣＩＯ）、近隣セルのセル特有のオフセット（ＯＦＳ）、サービングセルのセル特有のオフセット（ＯＣＳ）、あるいはイベントのためのヒステレシスパラメータに関連する、
請求項２１に記載の通信装置。
【請求項２３】
前記フィードバックは、少なくとも１つの他のパラメータによって間接的に制御されるパラメータをさらに備える、
請求項２２に記載の通信装置。
【請求項２４】
ハンドオーバを管理するためのコードを含むコンピュータ可読媒体を備えるコンピュータプログラム製品であって、前記コードは、
コンピュータに、ハンドオーバパラメータのセットを分析させるためのコードと、
コンピュータに、前記ハンドオーバパラメータのセットに対する範囲を決定させるためのコードと、
コンピュータに、ハンドオーバが生じるときを調整するために前記範囲内で前記ハンドオーバパラメータを増加または減少させるためのコードと、
を備えるコンピュータプログラム製品。
【請求項２５】
ハンドオーバがどれだけ早くまたは遅く生じるかを調節させるためのコードをさらに備える、
請求項２４に記載のコンピュータプログラム製品。
【請求項２６】
ハンドオーバパラメータのセットを分析し、
前記ハンドオーバパラメータのセットに対する範囲を決定し、
ハンドオーバが生じるときを調節するために前記範囲内で前記ハンドオーバパラメータを増加または減少させる、
命令を実行するプロセッサ。
【請求項２７】
前記ハンドオーバパラメータのためのセッティングを自動的に決定するためにイベントのタイミングを分析することをさらに備える、
請求項２６に記載のプロセッサ。
【請求項２８】
ハンドオーバパラメータのセットを処理することと、
セル間のハンドオーバに関連する失敗を軽減するために前記ハンドオーバパラメータのセットからの少なくとも１つのパラメータを自動的に調節することと、
を備えるワイヤレス通信のための方法。
【請求項２９】
前記ハンドオーバパラメータのセットは、監視期間（ＴＴＴ）、サービングセルのためのオフセット、セル個別のオフセット（ＣＩＯ）、近隣セルのセル特有のオフセット（ＯＦＳ）、サービングセルのセル特有のオフセット（ＯＣＳ）、あるいはイベントのためのヒステレシスパラメータを含む、
請求項２８に記載の方法。
【請求項３０】
あまりに早く生じるハンドオーバまたはあまりに遅く生じるハンドオーバに関連する１つまたは複数の失敗を検出することをさらに備え、早いおよび遅いは、測定レポートを分析し、前記測定レポートからのデータをタイミングしきい値と比較することによって定義される、
請求項２８に記載の方法。
【請求項３１】
ハンドオーバの遅くトリガを引くことを軽減するために監視期間パラメータを減少させること、あるいは、ハンドオーバの遅くトリガを引くことを軽減するためにセル個別のオフセット（ＣＩＯ）を増加させることを備える、
請求項３０に記載の方法。
【請求項３２】
ハンドオーバの早くトリガを引くことを軽減するために監視期間パラメータを増加させ、オフセットパラメータを増加させるあるいは、ハンドオーバの早くトリガを引くことを軽減するためにセル個別のオフセット（ＣＩＯ）を減少させることを備える、
請求項３０に記載の方法。
【請求項３３】
ハンドオーバパラメータのセットを処理し、セル間のハンドオーバに関連する失敗を軽減するために前記ハンドオーバパラメータのセットからの１つまたは複数のパラメータを自動的に調節するための命令を保持するメモリと、
前記命令を実行するプロセッサと、
を備える通信装置。
【請求項３４】
前記ハンドオーバパラメータのセットは、監視期間（ＴＴＴ）、サービングセルのためのオフセット、セル個別のオフセット（ＣＩＯ）、近隣セルのセル特有のオフセット（ＯＦＳ）、サービングセルのセル特有のオフセット（ＯＣＳ）、あるいはイベントのためのヒステレシスパラメータを含む、
請求項３３に記載の通信装置。
【請求項３５】
ワイヤレスネットワークのセル間のハンドオーバを容易にするハンドオーバパラメータのセットを処理するための手段と、
ハンドオーバパラメータのセットに関連するフィードバックを処理するための手段と、
前記セル間のハンドオーバに関連する失敗を緩和するために前記ハンドオーバパラメータのセットから少なくとも１つのパラメータを調節するための手段と、
を備える通信装置。
【請求項３６】
前記ハンドオーバパラメータのセットは、監視期間（ＴＴＴ）、サービングセルのためのオフセット、セル個別のオフセット（ＣＩＯ）、近隣セルのセル特有のオフセット（ＯＦＳ）、サービングセルのセル特有のオフセット（ＯＣＳ）、あるいはイベントのためのヒステレシスパラメータを含む、
請求項３５に記載の通信装置。
【請求項３７】
ハンドオーバを管理するためのコードを含むコンピュータ可読媒体を備えるコンピュータプログラム製品であって、前記コードは、
コンピュータに、ハンドオーバパラメータのセットを生成させるためのコードと、
コンピュータに、前記ハンドオーバパラメータのセットに対する範囲を処理させるためのコードと、
コンピュータに、ハンドオーバが生じるときを調節するために範囲内でハンドオーバパラメータを増加または減少させるためのコードと、
を備えるコンピュータプログラム製品。
【請求項３８】
コンピュータに、ハンドオーバがどれくらい早くまたはどれくらい遅く生じるかを調節させるためのコードをさらに備える、
請求項３７に記載のコンピュータプログラム製品。
【請求項３９】
１つまたは複数のハンドオーバパラメータのための所望の範囲を分析し、
ハンドオーバが生じるときを調節するために前記ハンドオーバパラメータに対する値を自動的に増加または減少させる、
命令を実行するプロセッサ。
【請求項４０】
前記ハンドオーバパラメータのためのセッティングを自動的に決定するためにイベントのタイミングを分析することをさらに備える、
請求項３９に記載のプロセッサ。
【発明の詳細な説明】
【関連出願】
【０００１】
本特許出願は、その全体が参照により本明細書に組み込まれ、２００８年６月３０日に出願され、“METHOD AND APPARATUS FOR AUTOMATIC HANDOVER OPTIMIZATION”（自動的なハンドオーバ最適化のための方法および装置）と題する仮特許出願第６１／０７７，０６４号の利益を主張する。
【技術分野】
【０００２】
以下の説明は、一般にワイヤレス通信システムに関し、特に、ノード間の自動化されたワイヤレスハンドオーバ性能を促進するパラメータの最適化に関する。
【背景技術】
【０００３】
ワイヤレス通信システムは、ボイス、データ、等のような様々なタイプの通信コンテンツを提供するために広く展開している。これらのシステムは、利用可能なシステムリソース（例えば、帯域幅、送信電力、等）を共有することによって多数のユーザとの通信をサポートすることが可能な多元接続システムであり得る。そのような多元接続システムの例は、符号分割多元接続（ＣＤＭＡ）システムと、時分割多元接続（ＴＤＭＡ）システムと、周波数分割多元接続（ＦＤＭＡ）システムと、Ｅ−ＵＴＲＡを含む３ＧＰＰロングタームエボリューション（ＬＴＥ）と、直交周波数分割多元接続（ＯＦＤＭＡ）システムと、を含む。
【０００４】
直交周波数分割多元接続（ＯＦＤＭ）通信システムは、周波数サブチャネル、トーン、あるいは周波数ビンとも称される、多数（ＮＦ個）のサブキャリアにすべてのシステム帯域幅を効果的に分割する。ＯＦＤＭシステムについて、送信されるべきデータ（つまり、情報ビット）は、コード化されたビットを生成するために特定のコーディングビットで最初に符号化される。ここでコード化されたビットは、さらに、その後変調マップシンボルにマップされるマルチビットシンボルにグループ化される。各変調シンボルは、データ送信のために使用される変調スキーム（例えば、Ｍ−ＰＳＫあるいはＭ−ＱＡＭ）によって定義された信号コンスタレーション内のポイントに対応する。各周波数サブキャリアの帯域幅に依存し得る各時間間隔で、変調シンボルは、ＮＦ個の周波数サブキャリアの各々上で送信され得る。したがって、ＯＦＤＭは、システム帯域幅にわたる異なる減衰量によって特徴付けられる、周波数選択フェージングによって引き起こされるシンボル間干渉（ＩＳＩ）に抵抗するために使用され得る。
【０００５】
一般に、ワイヤレス多元接続通信システムは、順方向リンクおよび逆方向リンク上の送信を介して１つまたは複数の基地局と通信する多数のワイヤレス端末のための通信を同時にサポートすることができる。順方向リンク（あるいはダウンリンク）は、基地局から端末への通信リンクを指し、逆方向リンク（あるいはアップリンク）は、端末から基地局への通信リンクを指す。この通信リンクは、単一入力単一出力、多入力単一出力あるいは多入力多出力（ＭＩＭＯ）システムを介して確立され得る。
【０００６】
ワイヤレス通信の１つの態様は、モバイルデバイスのようなユーザ装置と通信している間にある局から別の局にサービスを受けるセルを切り替える行為に言及するハンドオーバの概念に関連する。例えば、デバイスがあるサービスロケーションを去り、別のサービスロケーションに入る場合、ハンドオーバは、モビリティ状態の間生じる場合がある。理想的なハンドオーバのシナリオは、サービスが現在の通信パスの如何なる損失あるいは途絶をせずにある基地局から別の基地局に引き渡される場合である。不運にも、様々なハンドオーバの失敗は、現在のシステムで生じる場合がある。そのような失敗は、例えば、無線リンクの失敗および呼が落ちることを含む。これらの失敗のうちのいくつかは、手動で構成されたあるいは不適当に制御されたハンドオーバネットワークパラメータに関連する。これらのパラメータが最適に構成されない場合、ハンドオーバの失敗が生じる場合がある。それぞれの失敗は、一般に、４つの主なカテゴリに分類される：あまりに早く生じるハンドオーバ；あまりに遅く生じるハンドオーバ；適切にトリガされないハンドオーバ；「ピンポン」と時々称される前後の局間をあわただしく行き来するハンドオーバ。
【発明の概要】
【０００７】
以下は、請求された主題のいくつかの態様の基本的な理解を提供するために単純化された要約を表わす。この要約は、広範な概観ではなく、キー／クリティカルなエレメントを識別するあるいは請求された主題を詳しく説明するために意図されたものでもない。その唯一の目的は、後で提示するより詳細な説明の導入として、いくつかの概念を簡略化された形で提示することである。
【０００８】
システムおよび方法は、ワイヤレスネットワークの局間の自動的なハンドオーバン操作を制御する。様々なハンドオーバパラメータは、ハンドオーバ動作を容易にするために自動化された方法で識別され、制御される。それぞれのパラメータを制御することによって、ハンドオーバの失敗は、軽減される。一般に、ハンドオーバパラメータは、条件命令としてモニタされ、動的に調節される。ここで、パラメータは、タイミングに影響を及ぼすので局間の効率的なハンドオーバの品質に影響を及ぼす。したがって、パラメータの自動制御は、あまりに早く生じるあるいはあまりに遅く生じるハンドオーバを軽減するあるいは最小限に抑える。厳しいパラメータ制御によっても軽減されるこれらのタイミング問題のサブセットは、適切にトリガされないハンドオーバ、前後の局間およびそれぞれの切り替え状態をあわただしく行き来するハンドオーバを含む。最適化することができるいくつかの例示的なハンドオーバパラメータは、例えば、監視期間（ＴＴＴ：time-to-trigger）パラメータ、およびＣＩＯ（Cell Individual Offsets）を含む。他のパラメータは、さらに、オフセットのようなパラメータによって間接的に影響を受けて最適化されることができる。パラメータが所与のセルに対してサンプリングされ、測定され、分析され、動的に調整された場合、ハンドオーバの失敗は、低減することができる。
【０００９】
前述および関連する目的の達成のために、ある例示の態様は、以下の記述および添付された図面に関連してここで説明される。しかしながら、これらの態様は、請求する主題の原理を採用することができる様々な方法のほんのいくつかを示すものであり、請求する主題は、すべてのそのような態様およびそれらの均等物を含むものと意図される。他の利点及び新規な特徴は、図面と連動して考慮された場合に以下の詳細な説明から明白になり得る。
【図面の簡単な説明】
【００１０】
【図１】ワイヤレス通信システムのための自動的なハンドオーバ操作およびパラメータ最適化を提供するシステムの高レベルブロック図である。
【図２】ワイヤレスシステムのための例示のハンドオーバパラメータを例証するブロック図である。
【図３】ワイヤレス通信システムのハンドオーバパラメータを制御する例示のプロセスのフローチャートである。
【図４】ワイヤレス通信システムのための例示の早いハンドオーバタイミングおよび遅いハンドオーバタイミングを説明する。
【図５】ワイヤレス通信システムのための代替処理オプションのブロック図である。
【図６】自動的なハンドオーバ処理のための例示の論理モジュールを説明する。
【図７】代替のハンドオーバ処理のための例示の論理モジュールを説明する。
【図８】自動的なハンドオーバ処理を採用する例示の通信装置を説明する。
【図９】多元接続無線通信システムを説明する。
【図１０】例示の通信システムを説明する。
【図１１】例示の通信システムを説明する。
【図１２】自動的なハンドオーバパラメータ処理のための例示の決定行列のブロック図である。
【発明を実施するための形態】
【００１１】
システムおよび方法は、ワイヤレス通信システムの信頼できるハンドオーバ操作を促進するために提供される。１つの態様において、ワイヤレス通信のための方法が提供される。方法は、様々な行為または処理をインプリメントするために、コンピュータ可読記憶媒体上に格納されたコンピュータ実行可能な命令を実行するプロセッサを用いる。方法は、ワイヤレスネットワークのセル間のハンドオーバを容易にするハンドオーバパラメータのセットを決定することと、ハンドオーバパラメータのセットを解析することと、を含む。方法は、セル間のハンドオーバの失敗を軽減するためにパラメータを動的に調整することを含む。
【００１２】
次に、図１を参照して、システム１００は、ワイヤレス通信システムのための自動的なハンドオーバ操作およびパラメータ最適化を提供する。ここで、オプションは、局、デバイスあるいはチャネル間のセルハンドオーバの効率あるいは信頼性を増加させるために採用される。システム１００は、第２のデバイス１３０（あるいは複数のデバイス）にワイヤレスネットワーク１１０を通じて通信することができるエンティティであることができる、１つまたは複数の局１２０、１２４（ノード、進化型ノードＢ−ｅＮＢ、フェムト局、ピコ局、などとも称される）を含む。例えば、各デバイス１３０は、アクセス端末（端末、ユーザ装置、局、あるいはモバイルデバイスとも称される）であることができる。基地局１２０あるいは１２４は、ダウンリンク１４０を介してデバイス１３０と通信し、アップリンク１５０を介してデータを受信する。アップリンクおよびダウンリンクとしてのかかる意味は、デバイスがダウンリンクを介してデータを送信し、アップリンクチャネルを介してデータを受信もできるように任意である。３つのコンポーネント１２０、１２４および１３０は、３つのコンポーネントが示されるが、３つよりも多くのコンポーネントがネットワーク１１０上に用いられることができる。ここで、かかる追加のコンポーネントは、ここで記述されるワイヤレス処理およびハンドオーバ操作のために適合することもできる。
【００１３】
示されるように、自動的なハンドオーバマネージャ１６０は、デバイスあるいは複数のデバイス１３０にワイヤレスサービスを提供する局間のハンドオーバあるいはスイッチ制御状態に、それぞれの局１２０、１２４によって用いられる１つまたは複数のパラメータ１７０、１７４を解析し、動的に調節するために提供される。個々のハンドオーバエンティティ１６０は、局１２０および１２４の間の自動的なハンドオーバを容易にすることが示されるが、他の配置が可能であることが認識される。例えば、自動的なハンドオーバ機能性は、１つあるいは複数の基地局１２０、１２４上に存在できる、あるいはそれぞれの局内で分割される。さらに、ユーザ装置１３０は、自動化されたハンドオーバパラメータ識別、測定、および／または動的な調整の１つまたは複数の態様を含んでもよい。例示のアーキテクチャは、自動化されたハンドオーバのための機能的な処理態様のすべてあるいは一部を含むことができるハンドオーバマネージャ１６０によって提供される機能性のための可能な論理的な配置に関する図５に関して以下で詳細に説明されることになる。図２は、動的に最適化されることができる例示のハンドオーバパラメータ１７０、１７４のより詳細な記述を提供し、図３は、ハンドオーバマネージャ１６０によって提供されるパラメータのための論理処理態様を記述する方法を提供する。
【００１４】
一般に、ハンドオーバパラメータ１７０および１７４は、ハンドオーバ性能を促進するために自動化された方法で識別され、制御される。それぞれのパラメータを制御することによって、ハンドオーバの失敗は、軽減される。一般に、ハンドオーバパラメータ１７０および１７４は、条件命令あるいは示すようにハンドオーバマネージャによってモニタされ、動的に調整される。ここで、パラメータは、タイミングに影響するので、局１２０および１２４の間の効率的なハンドオーバの質に影響する。したがって、パラメータの自動的な制御は、あまりに早く生じるあるいはあまりに遅く生じるハンドオーバを軽減するあるいは最小限度に抑える。厳しいパラメータ制御によっても軽減されるこれらのタイミング問題のサブセットは、適切にトリガされないハンドオーバ、前後の局間およびそれぞれの切り替え状態間をあわただしく行き来するハンドオーバを含む。最適化することができるいくつかの例示的なハンドオーバパラメータは、例えば、監視期間（ＴＴＴ）パラメータ、およびセル個別のオフセット（ＣＩＯ：Cell Individual Offsets）を含む。他のパラメータは、さらにオフセットのようなパラメータによって間接的に影響を受けて最適化されることができる。パラメータが所与のセルに対してサンプリングされ、測定され、分析され、動的に調整された場合、ハンドオーバの失敗は、低減することができる。パラメータは、図２に関してより詳細に記述される。
【００１５】
処理する以前に、システム１００によって提供される制御と最適化のうちのいくつかが記述される。これらは、以上に記述されるようなハンドオーバパラメータ最適化の手段によるハンドオーバ最適化を含む。これは、セル間のあまりに早いあるいはあまりに遅いスイッチングのようなハンドオーバ関連の問題を検出することによるハンドオーバ最適化を含む。様々な測定は、ハンドオーバ関連の問題を検出するための手段を提供する。ここで、ハンドオーバ最適化は、不適切なハンドオーバパラメータセッティングによるハンドオーバ関連の問題を分離することによって生じることができる。したがって、システムおよび方法は、ハンドオーバパラメータセッティングによる問題を検出するための手段を提供する。これは、問題が単一あるいはいくつかのターゲットセルに対して生じているかどうかを判断することを含み、問題が単一あるいはいくつかのターゲットセルに対して生じるかどうかを検出するための手段を含む。前に言及したように、ハンドオーバ最適化は、あまりに早いハンドオーバおよびあまりに遅いハンドオーバを検出することによって生じることができる。ここで、手段は、かかる早いイベントおよび遅いイベントを検出することを提供する。検出は、ユーザ装置測定レポートに基づくことができる。ここで、パラメータは、例えば、オフセット／ＣＩＯ／ＴＴＴグループに分類されることができる。これは、さらに最適化するためにハンドオーバパラメータを検出することと、パラメータを最適化するための論理処理行列を含む。
【００１６】
システム１００がアクセス端末あるいはモバイルデバイスで用いられることができ、例えば、ＳＤカード、ネットワークカード、ワイヤレスネットワークカード、コンピュータ（ラップトップ、デスクトップ、携帯情報端末（ＰＤＡ）を含む）、携帯電話、スマートフォン、あるいはネットワークにアクセスするために利用することができる任意の他の適切な端末のようなモジュールになることができる。端末は、アクセスコンポーネント（示されていない）を経由してネットワークにアクセスする。１つの例において、端末とアクセスコンポーネントとの間の接続は、実際ワイヤレスになり得る。ここで、アクセスコンポーネントは、基地局であり、モバイルデバイスは、ワイヤレス端末であり得る。例えば、端末および基地局は、時分割多元接続（ＴＤＭＡ）、符号分割多元接続（ＣＤＮＡ）、周波数分割多元接続（ＦＤＭＡ）、直交周波数多重（ＯＦＤＭ）、ＦＬＡＳＨ  ＯＦＤＭ、直交周波数分割多元接続（ＯＦＤＭＡ）あるいは任意の他の適切なプロトコルを含むがこれらに限定されない、任意の適切なワイヤレスプロトコルを経由して通信し得る。
【００１７】
アクセスコンポーネントは、有線ネットワークあるいはワイヤレスネットワークに関連するアクセスノードであることができる。その目的のために、アクセスコンポーネントは、例えば、ルータ、スイッチなどになることができる。アクセスコンポーネントは、他のネットワークノードと通信するために、例えば、通信モジュールである１つあるいは複数のインターフェースを含むことができる。追加として、アクセスコンポーネントは、セルタイプネットワークの基地局（あるいはワイヤレスアクセスポイント）となり得る。ここで、基地局（あるいはワイヤレスアクセスポイント）は、複数の加入者にワイヤレスカバレッジエリアを供給するために利用される。そのような基地局（あるいはワイヤレスアクセスポイント）は、１つまたは複数の携帯電話および／または他のワイヤレス端末にカバレッジの連続的なエリアを提供するように配置されることができる。
【００１８】
次に図２を参照して、ブロック図２００は、ワイヤレスシステムのための例示のハンドオーバパラメータを説明する。２１０において、１つの例示のパラメータは、（サービングセルのための）監視期間（ＴＴＴ： time-to-trigger）を含む。別のパラメータ２００は、サービングセルのための時間オフセットであるオフセット（Offset）２２０および（各サービングセル−近隣セルペアのための）セル個別のオフセット（ＣＩＯ：Cell Individual Offset）２３０を含む。これらのパラメータは、自動的に制御され最適化されることができる。間接的に制御されることができる他のパラメータＯＣＮ２４０を含む。ここで、ＯＣＮ＝ＣＩＯ−Ｈｙｓである。２５０において、ＯＣＳは、（ＯＣＳ＝Ｏｆｆｓｅｔ−Ｏｆｆ）である別のパラメータである。一般に、ＯＣＮ２４０は、近隣セルのセル特有のオフセットである。ここでＯＣＳ２５０は、サービングセルのセル特有のオフセットである。ＨＹＳは、ハンドオーバイベントのためのヒステリシスパラメータ２６０であり、ＯＦＦ２７０は、それぞれのイベントのためのオフセットパラメータである。一般に、ＨＹＳ２６０は、所与のイベントのために固定され、セル毎の基礎として設定される。つまり、個々のセルのために最適化することができない。他方で、ＯＣＮ２４０は、各サービングセル−近隣セルペアのために設定可能である。従って、ＣＩＯは、各サービングセル−近隣セルペアのために設定可能であり最適化可能であるとみなすことができる、ＯＣＮ−Ｈｙｓとして定義される。さらに、ＯＦＦ２７０は、所与のイベントのために固定され、セル毎の基準として設定することができない。ＯＣＳ２５０は、各サービングセルのために設定可能である。従って、オフセットは、セル毎の基準として最適化することができるＯｃｎ＋Ｏｆｆとして定義することができる。他のイベントパラメータは、測定強度および測定結果のような測定パラメータを含み得る。動的に調整可能なパラメータによって影響を受け得る他のパラメータ２９０は、サービングセルおよび近隣セルのための周波数特有のオフセットを含む。正しく理解することができるように、２００で説明した以外のパラメータが動的にモニタされ調整されることができる。
【００１９】
次に図３を参照すると、自動的なハンドオーバパラメータ最適化のためのワイヤレス通信方法３００が説明される。説明の簡潔さの目的のために、方法（またここに記述された他の方法）は、一連の行為（acts）として示され記述されるが、１つまたは複数の態様に従ういくつかの行為が異なる順序で生じるおよび／またはここで示され説明された行為と他の行為と同時に生じるように、行為の順序によって方法が限定されないことを理解し認識することができる。例えば、当業者は、方法が例えば状態図などの一連の相関状態またはイベントのような代案として表わされ得ることを理解し認識することになる。さらに、説明された行為すべてが請求された主題に従う方法をインプリメントするために用いられなくともよい。一般に、プロセス３００は、プロセッサ命令、論理プログラミング関数、あるいはここに説明された自動的なハンドオーバ制御およびパラメータ最適化をサポートする他の電子シーケンスとしてインプリメントされることができる。
【００２０】
図３は、ワイヤレス通信システムのための例示のスクランブリングシーケンス拡張プロセス３００である。３１０において、問題に関連したハンドオーバが検出される。これは、性能測定値（ＰＭ）およびハンドオーバに関連した問題の他の指標を測定することを含む。このプロセス（あるいは論理関数）のための入力は、ＰＭおよびハンドオーバの成功／失敗レートと関連する他の指標を含む。ＰＭおよびハンドオーバ手順の間に生じる呼が落ちる、ハ呼のセットアップ失敗および無線リンク失敗の他の指標がさらに考慮され処理される。これは、ＰＭおよびハンドオーバの直後に生じる呼が落ちる、呼のセットアップ失敗および無線リンク失敗の他の指標を含み、呼のセットアップ失敗および無線リンク失敗は、近隣セル内で生じる。ＰＭおよびピアセルと比較され期待値と比較される少ない数のハンドオーバに関連する他の指標は、ハンドオーバの失敗に関連するアラームを含めて分析され処理される。ハンドオーバの問題が検出された場合、３２０でのプロセス行為をトリガする。
【００２１】
３２０に進んで、ハンドオーバパラメータセッティングに関連する問題が分離される。これは、ＰＭおよびハンドオーバパラメータによらないハンドオーバ関連の問題の他の指標を観測することを含む。行為３１０によって検出された、残りのハンドオーバ関連の問題は、ハンドオーバパラメータ問題による。この処理ステージのための入力は、ＰＭおよび：ターゲットｅＮＢのリソース予約失敗；ソースｅＮＢハンドオーバ関連のシグナリング失敗のリソースリリース失敗およびソースとターゲットｅＮＢとの間のタイマ終了；ソースおよびターゲットｅＮＢのハンドオーバ処理手順の内部の失敗；ユーザプレーンパススイッチングの失敗；測定レポートトリガハンドオーバのタイミングに関連しない他の失敗、によるハンドオーバの失敗に関連する他の指標を含む。ハンドオーバパラメータ関連の問題が検出された場合、行為３３０をトリガする。
【００２２】
３３０に進んで、ハンドオーバの失敗が１つのセルあるいは全てのセルへのハンドオーバの間のみ生じるかどうか判断するためにＰＭおよびハンドオーバ関連の問題の他の指標を観測する。入力を処理することは、個々のターゲットセルのためのハンドオーバの成功／失敗レートに関連するＰＭおよび他の指標（ハンドオーバ行列）を含む。これは、ＰＭおよび個々のターゲットセルのためのハンドオーバ手順の間に生じる呼が落ちる、呼のセットアップ失敗および無線リンクの失敗の他の指標を含む。他の態様は、ＰＭおよび個々のターゲットセルのためのハンドオーバ後に生じる呼が落ちる、呼のセットアップ失敗、無線リンクの失敗の他の指標を含む。これは、さらに、ＰＭおよびピアセルと比較および個々のターゲットセルに対する期待値と比較して少ない数のハンドオーバに関連する他の指標と共にＰＭおよび近隣セルで生じる呼が落ちる、呼のセットアップ失敗および無線リンクの失敗の他の指標を含む。アクションは、ハンドオーバ問題が行為３４０をトリガする前に単一又は複数のターゲットセルに関連しているかどうか判断することを含む。
【００２３】
３４０で、ハンドオーバ問題は、あまりに早いかあまりに遅いかのカテゴリに分類される。あまりに早いハンドオーバおよびあまりに遅いハンドオーバによるハンドオーバ関連の性能測定（ＰＭ）および他の指標を測定する。この態様のための入力は、測定レポートに関連するＰＭおよびハンドオーバ失敗のセッティングによるハンドオーバ失敗の他の指標を含む。これは、３５０でさらに処理する前に「あまりに早いハンドオーバ」問題あるいは「あまりに遅いハンドオーバ」問題各々として検出された問題を分類することを含むことができる。
【００２４】
図３の行為３５０の議論に進む前に、図４は、あまりに早いハンドオーバタイミングおよびあまりに遅いハンドオーバタイミングのシナリオそれぞれを表わすブロック言図４００および４１０を説明する。示されるように、ＴＴＴ、ＣＩＯおよびオフセットは、それぞれＭｎおよびＭｓである、最も強く検出された近隣セルおよびサービングセルの信号強度のユーザ装置測定と共にブロック図４００および４１０で表わされる。示されるように、ＴＴＴ、ＣＩＯおよびオフセットのような、ハンドオーバパラメータは、ネットワークにユーザ装置が測定レポートを送るタイミングを決定する。一般に、ネットワークへのユーザ装置測定レポートは、サービングセルおよび検出された近隣セルの信号強度のＵＥ測定値を含む。ネットワークは、サービングセルから検出された近隣セルにユーザ装置のハンドオーバを開始するためにレポートデータのようなものを使用する。そのようなレポートデータは、さらに以上で記述された行為３４０によって処理される。
【００２５】
そのレポートは、各レポートされたセルのための以下の情報を少なくとも含む：セルＩＤ；およびセルの受信品質。各セルのためにレポートされた随意の情報は：各セルのタイミング情報；測定レポートが作成された時点のＵＥの位置情報；を含み、レポートされたセルの受信品質についての情報があまりに早い／あまりに遅いハンドオーバを示す性能測定を生成するために使用される。行為３４０がユーザ装置による測定レポート内に保持されるデータから計算し得る情報は、レポートが送られた（Ｄｎ−ｓと呼ばれる）場合のＭｎとＭｓとの差を含み、レポートが送られた（Ｑｓと呼ばれる）場合のＭｓを含み、レポートが送られた（Ｑｎと呼ばれる）場合のＭｎを含む。１つの態様では、以下の３つの条件の１つまたは複数が生じる場合、あまりに遅いハンドオーバ条件が検出され得る： １）  Ｄｎ−ｓがオフセットと比較して大きい；２）  Ｑｓが低い；３）  Ｑｎが高い。あまりに遅いという条件のための可能な自動化されたアクションはＴＴＴ／オフセットを減少させるかＣＩＯを増加させる（例えば）ことを含んでいる。ブロック図４１０のあまりにも早いというシナリオについては、下記条件の１つまたは複数が生じる場合に検出され得る：１）  Ｄｎ−ｓが小さい（オフセットに接近している）；２）  Ｑｓが低くない；３）  Ｑｎが高くない。可能な自動化された行為は、ＴＴＴ／オフセットを増加するあるいはＣＩＯを減少させることを含む。
【００２６】
以下は、例示の性能測定値の簡単な説明を含む。ここでｅＮＢは、以下を計算すべきである：測定レポートが送られる場合の近隣セルトリガイベントの品質とサービングセルの品質との間の差；測定レポートが送られる場合のサービングセルの品質；測定レポートが送られる場合の近隣セルトリガイベントの品質。以下のＰＭ（カウンター）は、ｅＮＢによって計算されるべきである：（例えば、ＴＴＴ、ＣＩＯ、オフセットのような）以上でリストされた３つの量の平均値、最大値、最小値、以上でリストされた３つの量の標準偏差、および３つの量のＰＤＦ。
【００２７】
以下は、例示の性能測定データを記述するが、そのリストは、全ての可能性を網羅していないことが認識されるべきである。ＰＭパラメータは：ＰＭ１ａ−サービングセルの平均品質を含み、このＰＭは、サービングセルで受信された測定レポートにわたって合計される；ＰＭ１ｂ−サービングセルの品質の標準偏差を含み、このＰＭは、サービングセルの受信された測定レポートにわたって合計される；ＰＭ１ｃ−サービングセルの品質のＰＤＦを含み、このＰＭは、サービングセルの受信された測定レポートにわたって合計される；ＰＭ２ａ−近隣セルトリガイベントの平均品質を含み、このＰＭは、サービングセルの受信された測定レポートにわたって合計される；近隣セルトリガイベントの品質のＰＭ２ｂ標準偏差を含み、このＰＭは、サービングセルの受信された測定レポートにわたって合計される。他の測定は：ＰＭ２ｃ−近隣セルトリガイベントの品質のＰＤＦを含み、このＰＭは、サービングセルの受信された測定レポートにわたる合計される；ＰＭ３ａ−近隣セルトリガイベントの品質とサービングセルの品質との間の平均差を含み、このＰＭは、サービングセルの受信された測定レポートにわたって合計される；ＰＭ３ｂ−近隣セルトリガイベントの品質とサービングセルの品質との間の差の標準偏差を含み、このＰＭは、サービングセルの受信されたすべての測定レポートにわたって合計される；ＰＭ３ｃ−近隣セルトリガイベントの品質とサービングセルの品質との間の差のＰＤＦを含み、このＰＭは、サービングセルの受信された測定レポートにわたって合計される。
【００２８】
他の性能測定データは：ＰＭ１ａ＿ｎ−サービングセルの平均品質を含み、このＰＭは、レポートをトリガした各近隣セルのための近隣セルｎによってトリガされた測定レポートにわたって計算される；ＰＭ１ｂ＿ｎ−サービングセルの品質の標準偏差を含み、このＰＭは、レポートをトリガした各近隣セルのための近隣セルｎによってトリガされた測定レポートにわたって計算される；ＰＭ１ｃ＿ｎ−サービングセルの品質のＰＤＦを含み、このＰＭは、レポートをトリガした各近隣セルのための近隣セルｎによってトリガされた測定レポートにわたって計算される；ＰＭ２ａ＿ｎ−イベントのための測定レポートをトリガする近隣セルの平均品質を含み、このＰＭは、レポートをトリガした各近隣セルのための近隣セルｎによってトリガされた測定レポートにわたって計算される；ＰＭ２ｂ＿ｎ−近隣セルトリガイベントの品質の標準偏差を含み、このＰＭは、レポートをトリガした各近隣セルのための近隣セルｎによってトリガされた測定レポートにわたって計算される。他の測定は、以下のものを含む：ＰＭ２ｃ＿ｎ−近隣セルトリガイベントの品質のＰＤＦ。このＰＭは、レポートをトリガした各近隣セルのための近隣セルｎによってトリガされた測定レポートにわたって計算される；ＰＭ３ａ＿ｎ−近隣セルトリガイベントとサービングセルの品質との間の平均差を含み、このＰＭは、レポートをトリガした各近隣セルのための近隣セルｎによってトリガされた測定レポートにわたって計算される；ＰＭ３ｂ＿ｎ−近隣セルトリガイベントの品質とサービングセルの品質との間の差の標準偏差を含み、このＰＭは、レポートをトリガした各近隣セルのための近隣セルｎによってトリガされた測定レポートにわたって計算される；ＰＭ３ｃ＿ｎ−近隣セルトリガイベントの品質とサービングセルの品質との間の差のＰＤＦを含み、このＰＭは、レポートをトリガした各近隣セルのための近隣セルｎによってトリガされた測定レポートにわたって計算される。
【００２９】
図３に戻り、以下は、図３の行為３４０によって処理され得る例示の決定行列を説明する。ここで、複数のターゲットセルに対するハンドオーバ関連の問題は、（以上で言及した）ＰＭ３ａが高いあるいはＰＭ１ａが低いとして定義され、高いおよび低いは、しきい値と比較することによって決定することができる。単一のターゲットセルについて、ＰＭ３ａ＿ｎは高くあるいはＰＭ１ａ＿ｎは低く検出される。同様に、あまりに早い条件について、ＰＭ３ａは、低く検出されるあるいはＰＭ２ａは、多数のターゲットセルに対して低く検出される。単一のターゲットセルについて、例えば、ＰＭ３ａ＿ｎが低いあるいは、ＰＭ２ａ＿ｎが高い。
【００３０】
図３の３５０に進んで、動的に最適化するハンドオーバパラメータを決定する。これは、最適化が測定することよる最も高い優先順位を有するパラメータを決定することと、測定レポートに基づいてＰＭを処理することとを含む。この処理ステージのための入力は、以上で言及したＰＭ；およびハンドオーバパラメータセッティングによるハンドオーバの失敗の他の指標を含む。ここで、アクションは、例えば、オフセット、ＴＴＴおよびＣＩＯのような最適化されるべきパラメータのうちの１つを選択する。図１２は、例示の処理ブロック図または早いハンドオーバおよび遅いハンドオーバを制御するために行為３５０で処理されることができる決定行列を説明する。ブロック図１２００は、例示のパラメータセッティングおよび信頼できるハンドオーバを容易にする決定を説明する。
【００３１】
図５は、ワイヤレス通信システムのための代替の処理オプションを説明する。この態様では、システム５００は、図３（行為３１０−３５０）に描写された処理または論理関数が１つだけのネットワークエンティティによって実行することができることを説明するしかしながら、正しく理解できるように、様々な他の配置が可能である。例えば、５１０で、図３の行為３１０−３４０は、ネットワークエンティティによって自動的に実行され、行為３５０は、５２０でｅＮＢのものによって実行される。前に言及したように、他の配置がまだ可能である。例えば、処理３００のすべて又は一部は、ｅＮＢのものおよび／またはユーザ装置のような他のネットワークデバイスで実行されてもよい。
【００３２】
ここに記述された技法の処理は、様々な手段によってインプリメントされ得る。例えば、これらの技法は、ハードウェア、ソフトウェアあるいはそれらの組み合わせでインプリメントされ得る。ハードウェアインプリメンテーションについて、処理ユニットは、１つ又は複数の特定用途向け集積回路（ＡＳＩＣ）、デジタルシグナルプロセッサ（ＤＳＰ）、デジタル信号処理デバイス（ＤＳＰＤ）、プログラム可能論理回路（ＰＬＤ）、フィールドプログラマブルゲートアレー（ＦＰＧＡ）、プロセッサ、コントローラ、マイクロコントローラ、マイクロプロセッサ、個々に記述された機能を実行するように設計された他の電子ユニット、あるいはそれらの組み合わせ内でインプリメントされ得る。ソフトウェアを有する、ここに記述された機能を実行するモジュール（例えば、手順、関数、など）を通じてインプリメンテーションすることができる。ソフトウェアコードは、メモリユニットに格納され、プロセッサによって実行され得る。
【００３３】
次に図６および図７に移ると、システムが提供され、システムは、ワイヤレス信号処理に関連する。システムは、相互に関連付けられた一連のブロックとして表わされる。それは、プロセッサ、ソフトウェア、ハードウェア、ファームウェアあるいはそれらの任意の適切な組み合わせによってインプリメントされる機能を表わすことができる。
【００３４】
図６を参照して、ワイヤレス通信システム６００が提供される。システム６００は、ワイヤレスネットワークのセル間のハンドオーバを容易にするハンドオーバパラメータのセットを処理するための論理モジュール６０２あるいは手段と、ハンドオーバパラメータのセットに関連するフィードバックを分析するための論理モジュール６０４あるいは手段と、を含む。システムは、セル間のハンドオーバの失敗を軽減するためにハンドオーバパラメータのセットのうちの少なくとも１つを調整するための論理モジュール６０６あるいは手段を含む。
【００３５】
図７を参照して、ワイヤレス通信システム７００が提供される。システム７００は、ワイヤレスネットワークのセル間のハンドオーバを容易にするハンドオーバパラメータのセットを処理するための論理モジュール７０２あるいは手段と、ハンドオーバパラメータのセットと関連するフィードバックを処理するための論理モジュール７０４あるいは手段と、を含む。システムは、セル間のハンドオーバの失敗を軽減するためにハンドオーバパラメータのセットからの少なくとも１つのパラメータを調節するための論理モジュール７０６および手段を含む。
【００３６】
別の態様では、ワイヤレス通信のための方法が提供される。方法は、ハンドオーバパラメータのセットを分析することと；セル間のハンドオーバに関連する失敗を軽減するためにハンドオーバパラメータのセットからの少なくとも１つのパラメータを動的に調節することと、を含む。ハンドオーバパラメータのセットは、監視期間（ＴＴＴ）、サービングセルのためのオフセット、セル個々のオフセット（ＣＩＯ）、近隣セルのセル特有のオフセット（ＯＦＳ）、サービングセルのセル特有のオフセット（ＯＣＳ）、あるいはイベントのためのヒステリシスパラメータを含む。これは、あまりに早く生じるハンドオーバ、あるいはあまりに遅く生じるハンドオーバに関連するに１つまたは複数の失敗を検出することを含む。ここで、早いおよび遅いは、測定レポートあるいは性能指標を分析し、しきい値と比較することによって定義される。あまりに早くあるいはあまりに遅く生じるハンドオーバは、それぞれＭｎおよびＭｓである、近隣セルあるいはサービングセルの信号強度を分析することにより決定される。方法は、リソース予約失敗、リソースリリース失敗、シグナリング失敗、タイマ終了、内部故障、あるいはプレーンパススイッチング失敗による、呼が落ちること、呼セットアップ失敗、アラームあるいはハンドオーバプロシージャの前、間、後の無線リンク失敗を分析し、ハンドオーバに関連する失敗を分離することを含む。これは、単一セルモデルまたは複数のセルモデルに従うハンドオーバを分析するあるいはハンドオーバの失敗が単一のセルまたは複数のセルと関連しているかどうか判断するために性能測定および性能指標を分析することを含む。方法は、ハンドオーバの遅くトリガすることを軽減するために監視期間を減少させることと；ハンドオーバの遅くトリガすることを軽減するためにオフセットパラメータを減少させることと；ハンドオーバの遅くトリガすることを軽減するためにセル個々のオフセット（ＣＩＯ）パラメータを増加させることと；ハンドオーバの早くトリガすることを軽減するために監視期間を増加させることと；ハンドオーバの早くトリガすることを軽減するためにオフセットパラメータを増加させることと；ハンドオーバの早くトリガすることを軽減するためにセル個々のオフセット（ＣＩＯ）パラメータを減少させることと、を含む。方法は、さらに、パラメータセッティングを自動的に決定するためにハンドオーバパラメータのセットのための最大値、最小値、平均値、標準偏差値を分析することを含む。
【００３７】
別の態様では、通信装置が提供され、通信装置は、セル間のハンドオーバと関連する失敗を軽減するためにハンドオーバパラメータのセットを処理し、ハンドオーバパラメータのセットから１つまたは複数のパラメータを自動的に調整するための命令を保持するメモリを含む。装置は、命令を実行するプロセッサを含む。装置は、監視期間（ＴＴＴ）、サービングセルのためのオフセット、セル個別のオフセット（ＣＩＯ）、近隣セルのセル特有のオフセット、サービングセルのセル特有のオフセット（ＯＣＳ）、あるいはイベントのためのヒステリシスパラメータに関連するフィードバックを分析することを含む。ここで、フィードバックは、少なくとも１つの別のパラメータによって間接的に制御されるパラメータを含む。装置は、測定レポートを考慮してハンドオーバパラメータのためのタイミング値を自動的に増加あるいは減少させる命令を含む。装置は、パラメータセッティングを決定するためにタイミング値あるいは１つ又は複数のハンドオーバの失敗を分析することを含む。
【００３８】
別の態様では、コンピュータプログラム製品が提供される。コンピュータプログラム製品は、ハンドオーバを管理するためのコードを含み、コードは：コンピュータに、ハンドオーバパラメータを分析させるためのコードと；コンピュータに、パラメータのための所望の範囲を決定させるためのコードと；コンピュータに、ハンドオーバが生じるときを調節するために範囲内でパラメータを増加または減少させるためのコードと、を含むコンピュータ可読媒体を含む。コンピュータプログラム製品は、コンピュータに、どの程度早くまたはどの程度遅くハンドオーバを生じさせるかを調整するためのコードを含む。
【００３９】
別の態様では、プロセッサが提供され、プロセッサは以下の命令：ハンドオーバパラメータのセットを分析することと；パラメータのための所望の範囲を決定することと、ハンドオーバが生じるときを調節するために範囲内のパラメータを増加または減少させることと、を実行する。プロセッサは、パラメータのためのセッティングを自動的に決定するイベントのタイミングを分析することを含む。
【００４０】
また別の態様では、ワイヤレス通信のための方法が提供される。方法は、ハンドオーバパラメータのセットを処理することと；セル間のハンドオーバに関連する失敗を軽減するためにハンドオーバパラメータのセットから少なくとも１つのパラメータを自動的に調節することと、を含む。
【００４１】
別の態様では、通信装置は、ハンドオーバパラメータのセットを処理し；セル間のハンドオーバに関連する失敗を軽減するためにハンドオーバパラメータのセットからの１つまたは複数のパラメータを自動的に調節するための命令を保持するメモリを含む。通信装置は、命令を実行するプロセッサを含む。
【００４２】
別の態様では、コンピュータプログラムは、コンピュータに、ハンドオーバパラメータのセットを生成させるためにコードと；コンピュータに、パラメータのための所望の範囲を処理させるためのコードと；コンピュータに、ハンドオーバが生じるときを調節するために範囲内でパラメータを増加または減少させるためのコードと、を含む。
【００４３】
また別の態様では、プロセッサが以下の命令：１つまたは複数のハンドオーバパラメータのための所望の範囲を分析することと；ハンドオーバが生じるときを調節するためにハンドオーバパラメータの値を増加させるか減少させることと、を実行する。
【００４４】
図８は、例えば、ワイヤレス端末のような、ワイヤレス通信装置になることができる通信装置８００を説明する。追加あるいは代替として、通信装置８００は、有線ネットワーク内に常駐金網を張ったネットワーク内に存在することができる。通信装置８００は、ワイヤレス通信端末の信号分析を実行するための命令を保持することができるメモリ８０２を含む。さらに、通信装置８００は、メモリ８０２内の命令および／または別のネットワークデバイスから受信した命令を実行することができるプロセッサ８０４を含む。ここで、命令は、通信装置または関連する通信装置を構成あるいは操作することができる。
【００４５】
図９を参照して、多元接続ワイヤレス通信システム９００が説明される。多元接続ワイヤレス通信システム９００は、セル９０２、９０４および９０６を含む多数のセルを含む。システム９００の態様では、セル９０２、９０４および９０６は、多数のセクタを含むノードＢを含み得る。マルチプルセクタは、セルの一部のＵＥとの通信のための信頼できる各アンテナを有するアンテナグループによって形成されることができる。例えば、セル９０２では、アンテナグループ９１２、９１４および９１６は、異なるセクタに各々対応し得る。セル９０４では、アンテナグループ９１８、９２０および９２２は、異なるセクタに各々対応する。セル９０６では、アンテナグループ９２４、９２６および９２８は、異なるセクタに各々対応する。セル９０２、９０４および９０６は、各セル９０２、９０４、および９０６と通信することができる、ユーザ装置またはＵＥのようないくつかのワイヤレス通信デバイスを含むことができる。例えば、ＵＥ９３０および９３２は、ノードＢ９４２と通信でき、ＵＥ９３４および９３６は、ノードＢ９４４と通信でき、ＵＥ９３８および９４０は、ノードＢ９４６と通信することができる。
【００４６】
次に、図１０を参照して、１つの態様に従う多元接続ワイヤレス通信システムが説明される。アクセスポイント１０００（ＡＰ）は、複数のアンテナグループを含む。１つのアンテナグループは、アンテナ１００４および１００６を含み、別のアンテナグループは、アンテナ１００８および１０１０を含み、別のアンテナグループはアンテナ１０１２および１０１４を含む。図１０では、アンテナグループごとに２つのアンテナのみが示されているが、アンテナグループごとにより多いまたはより少ないアンテナが利用でき得る。アクセス端末１０１６（ＡＴ）は、アンテナ１０１２および１０１４と通信中とすることができ、アンテナ１０１２および１０１４は、順方向リンク１０２０上でアクセス端末１０１６に情報を送信し、逆方向リンク１０１８上でアクセス端末１０１６からの情報を受信する。アクセス端末１０２２は、アンテナ１００６および１００８と通信中とすることができ、アンテナ１００６および１００８は、順方向リンク１０２６上でアクセス端末１０２２に情報を送信し、逆方向リンク１０２４上でアクセス端末１０２２から情報を受信する。ＦＤＤシステムでは、通信リンク１０１８、１０２０、１０２４および１０２６は、通信のための異なる周波数を使用することができる。たとえば、順方向リンク１０２０は、逆方向リンク１０１８によって使用される周波数とは異なる周波数を使用することができる。
【００４７】
アンテナの各グループ、および／またはアンテナが通信するために設計されたエリアは、しばしばアクセスポイントのセクタと称される。各アンテナグループは、アクセスポイント１０００によってカバーされるエリアのセクタ内でアクセス端末に通信するように設計できる。順方向リンク１０２０および１０２６上の通信では、アクセスポイント１０００の送信アンテナは、異なるアクセス端末１０１６および１０２４に対して順方向リンクの信号対雑音比を改善するためにビームフォーミングを利用することができる。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。アクセスポイントは、端末と通信するために使用される固定局とすることができ、基地局、ｅＮＢ、アクセスネットワーク、および／または他の好適な用語で呼ばれ得る。さらに、アクセス端末は、アクセス端末、ユーザ装置（ＵＥ）、ワイヤレス通信デバイス、端末、ワイヤレスアクセス端末、または他の適切な用語で呼ばれ得る。
【００４８】
次に図１１を参照すると、システム１１００は、ＭＩＭＯシステムの（アクセスポイントとしても知られる）送信機システム２１０と（アクセス端末としても知られる）受信機システム１１５０とを説明する。送信機システム１１１０において、いくつかのデータストリームのトラフィックデータがデータソース１１１２から送信（ＴＸ）データプロセッサ１１１４に供給される。各データストリームは、それぞれの送信アンテナを介して送信される。ＴＸデータプロセッサ１１１４は、符号化データを提供するために、データストリームのために選択された特定の符号化方式に基づいて、データストリームごとにトラフィックデータをフォーマット化し、符号化し、インタリーブすることができる。
【００４９】
各データストリームのための符号化データは、ＯＦＤＭ技法を使用してパイロットデータで多重化し得る。パイロットデータは、たとえば、既知の方法で処理される既知のデータパターンとすることができ、パイロットデータは、チャネル応答を推定するために受信機システムにおいて使用され得る。その後、各データストリームの多重化されたパイロットデータおよび符号化データは、変調シンボルを提供するために、データストリームのために選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）する。各データストリームのためのデータレート、符号化、および変調は、プロセッサ１１３０によって実行された命令によって判断できる。
【００５０】
その後、すべてのデータストリームのための変調シンボルは、ＴＸ  ＭＩＭＯプロセッサ１１２０に供給でき、ＴＸプロセッサ１１２０は、（たとえば、ＯＦＤＭ用に）変調シンボルをさらに処理することができる。次いで、ＴＸ  ＭＩＭＯプロセッサ１１２０は、変調シンボルストリームをＮＴ個の送信機１１２２ａ〜１１２２ｔに提供することができる。ある実施例では、ＴＸ  ＭＩＭＯプロセッサ１１２０は、シンボルが送信されることからデータストリームのシンボルおよびアンテナにビーム形成重み付けを適用する。
【００５１】
次いで、各送信機１１２２は、１つ又は複数のアナログ信号を供給するためにそれぞれのシンボルストリームを受信し処理し、さらに調整（たとえば、増幅、フィルタリング、およびアップコンバート）して、ＭＩＭＯチャネルを介して送信するのに適した変調信号を供給することができる。送信機１１２２ａ〜１１２２ｔからのＮＴ個の変調信号は、次いで、それぞれ、ＮＴ個のアンテナ１１２４ａ〜１１２４ｔから送信できる。
【００５２】
受信機システム１１５０において、送信された変調信号は、ＮＲ個のアンテナ１１５２ａ〜１１５２ｒによって受信でき、各アンテナ１１５２から受信した信号は、それぞれの受信機１１５４（ＲＣＶＲ）に供給できる。各受信機１１５４は、それぞれの受信信号を調整（たとえば、フィルタリング、増幅、およびダウンコンバート）し、サンプルを供給するために調整された信号をデジタル化し、さらに、それらのサンプルを処理して、対応する「受信」シンボルストリームを供給することができる。
【００５３】
次いで、ＲＸデータプロセッサ１１６０は、特定の受信機処理技法に基づいてＮＲ個の受信機１１５４からＮＲ個の受信シンボルストリームを受信し、処理して、ＮＴ個の「検出」シンボルストリームを供給することができる。次いで、ＲＸプロセッサ１１６０は、各検出シンボルストリームを復調し、デインタリーブし、復号することによって、データストリームに関するトラフィックデータを復元する。ＲＸデータプロセッサ１１６０による処理は、送信機システム１１１０においてＴＸ  ＭＩＭＯプロセッサ１１２０およびＴＸデータプロセッサ１１１４によって実行される処理を補足することができる。
【００５４】
プロセッサ１１７０は、（以下で議論されるように）使用するプレコーディング行列を周期的に決定する。プロセッサ１１７０は、行列インデックス一部およびランク値の一部を備える逆方向リンクメッセージを表わす。逆方向リンクメッセージは、通信リンクおよび／または受信データストリームについての情報の様々なタイプを備える。その後、逆方向リンクメッセージは、データソース１１３６から多数のデータストリームのためのトラフィックを受信する、ＴＸデータプロセッサ１１３８によって処理され、送信機１１５４ａから１１５４ｒによって調整され、送信機システム１１１０に送信し返される。
【００５５】
送信機システム１１１０では、受信機システム１１５０からの変調信号は、アンテナ１１２４によって受信され、受信機１１２２によって調整され、ＲＸデータプロセッサ１１４２によって処理され、受信機システム１１５０によって送信された逆方向リンクメッセージを抽出することができる。次いで、プロセッサ１１３０は、抽出されたメッセージを処理するビーム形成重み付けを決定するために使用するプレコーディング行列を決定する。
【００５６】
１つの態様では、論理チャネルは、制御チャネルおよびトラフィックチャネルに分類される。論理制御チャネルは、ブロードキャストシステム制御情報のためのＤＬチャネルであるブロードキャスト制御チャネル（ＢＣＣＨ）を備える。ページング情報を転送するＤＬチャネルであるページング制御チャネル（ＰＣＣＨ）。マルチメディアブロードキャストおよびマルチキャストサービス（ＭＢＭＳ）スケジューリングおよび１つまたはいくつかのＭＴＣＨのための制御情報を送信するために使用されるポイントツーマルチポイントＤＬである、マルチキャスト制御チャネル（ＭＣＣＨ）。一般に、ＲＲＣ接続を確立した後、このチャネルは、ＭＢＭＳ（注：古いＭＣＣＨ＋ＭＳＣＨ）を受信するＵＥによってのみ使用される。専用制御チャネル（ＤＣＣＨ）は、専用制御情報を送信するポイントツーポイントの双方向チャネルであり、ＲＲＣ接続を有するＵＥによって使用される。論理トラフィックチャネルは、ユーザ情報の転送のために、１つのＵＥ専用の、ポイントツーポイントの双方向チャネルである専用トラフィックチャネル（ＤＴＣＨ）を備える。さらにトラフィックデータを送信するためのポイントツーマルチポイントＤＬチャネルのためのマルチキャストトラフィックチャネル（ＭＴＣＨ）。
【００５７】
トランスポートチャンネルは、ＤＬとＵＬとに分類される。ＤＬトランスポートチャネルは、ブロードキャストチャネル（ＢＣＨ）、ダウンリンク共有データチャネル（ＤＬ−ＳＤＣＨ）およびページングチャネル（ＰＣＨ）を備え、ＵＥ省電力のサポートのためのＰＣＨ（ＤＲＸサイクルがＵＥへのネットワークによって示される）は、セル全体にわたってブロードキャストされ他の制御／トラフィックチャネルのために使用されることができるＰＨＹリソースにマップされる。ＵＬトランスポートチャネルは、ランダムアクセスチャネル（ＲＡＣＨ）、要求チャネル（ＲＥＱＣＨ）、アップリンク共有データチャネル（ＵＬ−ＳＤＣＨ）および複数のＰＨＹチャネルを備える。ＰＨＹチャネルは、ＤＬチャネルおよびＵＬチャネルのセットを備える。
【００５８】
ＤＬ  ＰＨＹチャネルは：例えば、共通パイロットチャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割り当てチャネル（ＳＵＡＣＨ）、肯定応答チャネル（ＡＣＫＣＨ）、ＤＬ物理共有データチャネル（ＤＬ−ＰＳＤＣＨ）、ＵＬ電力制御チャネル（ＵＰＣＣＨ）、ページングインジケータチャネル（ＰＩＣＨ）、およびロードインジケータチャネル（ＬＩＣＨ）を備える。
【００５９】
ＵＬ  ＰＨＹチャネルは：例えば、物理ランダムアクセスチャネル（ＰＲＡＣＨ）、チャネル品質インジケータチャネル（ＣＱＩＣＨ）、肯定応答チャネル（ＡＣＫＣＨ）、アンテナサブセットインジケータチャネル（ＡＳＩＣＨ）、共有要求チャネル（ＳＲＥＱＣＨ）、ＵＬ物理共有データチャネル（ＵＬ−ＰＳＤＣＨ）および広帯域パイロットチャネル（ＢＰＩＣＨ）を備える。
【００６０】
他の用語／コンポーネントは：３Ｇ  第３世代、３ＧＰＰ  第３世代パートナーシッププロジェクト、ＡＣＬＲ  隣接チャネル漏れ比、ＡＣＰＲ  隣接チャネル電力比、ＡＣＳ  隣接チャネル選択性、ＡＤＳ  アドバンスド設計システム、ＡＭＣ  適応変調および符号化、Ａ−ＭＰＲ  付加最大電力削減、ＡＲＱ  自動再送要求、ＢＣＣＨ  ブロードキャスト制御チャネル、ＢＴＳ  基礎トランシーバ局、ＣＤＤ  サイクリック遅延ダイバーシティ、ＣＤＭＡ  符号分割多重アクセス、ＣＦＩ  制御フォーマットインジケータ、Ｃｏ−ＭＩＭＯ  協同ＭＩＭＯ、ＣＰ  サイクリックプレフィックス、ＣＰＩＣＨ  共通パイロットチャネル、ＣＰＲＩ  共通パブリック無線インターフェース、ＣＱＩ  チャネル品質インジケータ、ＣＲＣ  サイクリックリダンダンシーチェック、ＤＣＩ  ダウンリンク制御インジケータ、ＤＦＴ  個別のフーリエ変換、ＤＦＴ−ＳＯＦＤＭ  個別フーリエ変換スプレッドＯＦＤＭ、ＤＬ  ダウンリンク（基地局から加入者への送信）、ＤＬ−ＳＣＨ  ダウンリンク共有チャネル、Ｄ−ＰＨＹ  ５００Ｍｂｐｓの物理層、ＤＳＰ  デジタル信号処理、ＤＴ  開発ツールセット、ＤＶＳＡ  デジタルベクトル信号分析、ＥＤＡ  電子デザイン自動化、Ｅ−ＤＣＨ  改良型専用チャンネル、Ｅ−ＵＴＲＡＮ  進化型ＵＭＴＳテレストリアル無線アクセスネットワーク、ｅＭＢＭＳ  進化型マルチメディアブロードキャストマルチキャストサービス、ｅＮＢ  進化型ノードＢ、ＥＰＣ  進化型パケットコア、ＥＰＲＥ  リソースエレメント毎のエネルギー、ＥＴＳＩ  欧州電気通信標準化機構、Ｅ−ＵＴＲＡ  進化型ＵＴＲＡ  ＥＵＴＲＡＮ  進化型ＵＴＲＡＮ、ＥＶＭ  エラーベクトルの大きさ、およびＦＤＤ  周波数分割複信を含む。
【００６１】
また他の用語は、ＦＦＴ  高速フーリエ変換、ＦＲＣ  固定参照チャネル、ＦＳ１  フレーム構造タイプ１、ＦＳ２  フレーム構造体タイプ２、ＧＳＭ（登録商標）  グローバルシステムフォーモバイルコミュニケーション、ＨＡＲＱ  ハイブリッド自動再送要求、ＨＤＬ  ハードウェア記述言語、ＨＩ  ＨＡＲＱインジケータ、ＨＳＤＰＡ  高速ダウンリンクパケットアクセス、ＨＳＰＡ  高速パケットアクセス、ＨＳＵＰＡ  高速アップリンクパケットアクセス、ＩＦＦＴ  逆ＦＦＴ、ＩＯＴ  相互運用性試験、ＩＰ  インターネットプロトコル、ＬＯ  局部発振器、ＬＴＥ  ロングタームエボリューション、ＭＡＣ  メディアアクセス制御、ＭＢＭＳ  マルチメディアブロードキャストマルチキャストサービス、  ＭＢＳＦＮ  単一周波数ネットワークを介するマルチキャスト／ブロードキャスト、ＭＣＨ  マルチキャストチャネル、ＭＩＭＯ  他入力他出力、ＭＩＳＯ  他入力単一出力、ＭＭＥ  移動性管理エンティティ、ＭＯＰ  最大出力電力、ＭＰＲ  最大電力削減、ＭＵ−ＭＩＭＯ  マルチプルユーザＭＩＭＯ、ＮＡＳ  非アクセス層、ＯＢＳＡＩ  オープン基地局アーキテクチャインターフェース、ＯＦＤＭ  直交周波数分割多重、ＯＦＤＭＡ  直交周波数分割多元接続、ＰＡＰＲ  ピーク対平均電力比、ＰＡＲ  ピーク対平均比、ＰＢＣＨ  物理ブロードキャストチャネル、Ｐ−ＣＣＰＣＨ  主要共通制御物理チャネル、ＰＣＦＩＣＨ  物的制御フォーマットインジケータチャネル、ＰＣＨ  ページングチャネル、ＰＤＣＣＨ  物理ダウンリンク制御チャネル、ＰＤＣＰ  パケットデータ収束プロトコル、ＰＤＳＣＨ  物理ダウンリンク共有チャネル、ＰＨＩＣＨ  物理ハイブリッドＡＲＱインジケータチャネル、ＰＨＹ  の物理層、ＰＲＡＣＨ  物理ランダムアクセスチャネル、ＰＭＣＨ  物理マルチキャストチャネル、ＰＭＩ  プレコーディング行列インジケータ、Ｐ−ＳＣＨ  主要同期信号、ＰＵＣＣＨ  物理アップリンク制御チャネル、およびＰＵＳＣＨ  物理アップリンク共有チャネルを含む。
【００６２】
他の用語は、ＱＡＭ  直角振幅変調、ＱＰＳＫ  四相位相変調、ＲＡＣＨ  ランダムアクセスチャネル、ＲＡＴ  無線アクセス技術、ＲＢ  リソースブロック、ＲＦ  無線周波数、ＲＦＤＥ  ＲＦ設計環境、ＲＬＣ  無線リンク制御、ＲＭＣ  参照測定チャネル、ＲＮＣ  無線ネットワークコントローラ、ＲＲＣ  ラジオ資源管理、ＲＲＭ  ラジオリソース管理、ＲＳ  参照信号、ＲＳＣＰ  受信信号コード電力、ＲＳＲＰ  参照信号受信電力、ＲＳＲＱ  参照信号受信品質、ＲＳＳＩ  受信信号強度インジケータ、ＳＡＥ  システムアーキテクチャエボリューション、ＳＡＰ  サービスアクセスポイント、ＳＣ−ＦＤＭＡ  単一キャリア周波数分割多元接続、ＳＦＢＣ  スペース周波数ブロックコーディング、Ｓ−ＧＷ  サービングゲートウェイ、ＳＩＭＯ  単一入力多出力、ＳＩＳＯ  単一入力単一出力、ＳＮＲ  信号対雑音比、ＳＲＳ  サウンディング基準信号、Ｓ−ＳＣＨ  セカンダリ同期信号、ＳＵ−ＭＩＭＯ  単一ユーザＭＩＭＯ、ＴＤＤ  時分割複信、ＴＤＭＡ  時分割多元接続、ＴＲ  技術レポート、ＴｒＣＨ  トランスポートチャネル、ＴＳ  技術仕様書、ＴＴＡ  テレコミュニケーション技術協会、ＴＴＩ  送信時刻間隔、ＵＣＩ  アップリンク制御インジケータ、ＵＥ  ユーザ装置、ＵＬ  アップリンク（加入者から基地局への送信）、ＵＬ−ＳＣＨ  アップリンク共有チャネル  ＵＭＢ  ウルトラ−モバイル広帯域、ＵＭＴＳ  ユニバーサルモバイルテレコミュニケーションシステム、ＵＴＲＡ  ユニバーサルテレストリアルラジオアクセス、ＵＴＲＡＮ  ユニバーサルテレストリアルラジオアクセスネットワーク、ＶＳＡベクトル信号分析器、Ｗ−ＣＤＭＡ  広帯域符号分割多元接続を含む。
【００６３】
様々な態様が端末に関連してここに記述されることが注目される。端末はまた、システム、ユーザデバイス、加入者ユニット、加入者局、移動局、モバイルデバイス、リモート局、アクセス端末、ユーザ端末、ユーザエージェント、またはユーザ装置と称されることがある。ユーザデバイスは、セルラ電話、コードレス電話、セッション開始プロトコル（ＳＩＰ）電話、ワイヤレスローカルループ（ＷＬＬ）局、ＰＤＡ、ワイヤレス接続機能を有するハンドヘルドデバイス、ホストデバイス（例えば、ＰＣＭＣＩＡカード）内に付属するまたは統合されることができるカード、ワイヤレスモデムに接続された他の処理デバイスとすることができる。
【００６４】
さらに、主張される主題の態様は、ソフトウェア、ファームウェア、あるいはコンピュータを制御することに関する任意の組み合わせまたは主張される主題の様々な態様をインプリメントするための計算コンポーネントを作り出すために、標準的なプログラミング及び／又はエンジニアリング技法を用いて方法、装置、又は製造品としてインプリメントすることができる。ここにおいて用いられる場合における用語“製造品”は、コンピュータによって読み取り可能なデバイス、又は媒体からアクセス可能なコンピュータプログラムを包含することが意図される。例えば、コンピュータ可読媒体は、磁気記憶装置（例えば、ハードディスク、フロッピー（登録商標）ディスク、磁気ストリップ、等）と、光学ディスク（例えば、コンパクトディスク（ＣＤ）、デジタルバーサタイルディスク（ＤＶＤ）、等）と、スマートカードと、フラッシュメモリデバイス（例えば、ＥＰＲＯＭ、カード、スティック、キードライブ、等）と、を含むことができ、ただしこれらに限定されない。追加として、キャリアウェーブは、音声メールを送受信するか、セルラネットワークのようなネットワークにアクセスするのに使用されるもののようなコンピュータ可読電子データを運ぶために用いられることを認識するべきである。もちろん、当業者は、多くの修正がここに記述されるものの範囲または精神から外れないこの構成を行なうことができ得ることを認識することになる。
【００６５】
本出願で使用する「コンポーネント」、「モジュール」、「システム」などの用語は、ハードウェア、ファームウェア、ハードウェアとソフトウェアの組み合わせ、ソフトウェア、または実行中のソフトウェアなど、コンピュータ関連のエンティティを指すものとする。たとえば、コンポーネントは、プロセッサ上で実行されるプロセス、集積回路、オブジェクト、実行可能ファイル、実行スレッド、プログラム、および／またはコンピュータとすることができるが、これらに限定されない。例として、サーバ上で実行されるアプリケーションと、サーバの両方は、コンポーネントになることができる。１つまたは複数のコンポーネントがプロセスおよび／または実行スレッド内に常駐することができ、１つのコンポーネントを１つのコンピュータ上に配置し、および／または２つ以上のコンピュータ間に分散することができる。
【００６６】
以上に記述されたものは、１つまたは複数の実施形態の例示を含む。もちろん、上述の態様について説明する目的で、コンポーネントまたは方法のあらゆる考えられる組み合わせについて説明することは不可能であるが、当業者なら、様々な態様の多数のさらなる組み合せおよび置換が可能であることを認識できよう。したがって、記述した態様は、添付の特許請求の範囲の趣旨および範囲内に入るすべてのそのような改変形態、変更形態、および変形形態を包含するものとする。さらに、「含む（include）」という用語は、発明を実施するための形態または特許請求の範囲のいずれかで使用される限り、「備える（comprising）」という用語を使用すると請求項における移行語と解釈されるように「備える（comprising）」と同様に包括的なものとする。
【図１】
2011527156.tif 000003
【図２】
2011527156.tif 000004
【図３】
2011527156.tif 000005
【図４】
2011527156.tif 000006
【図５】
2011527156.tif 000007
【図６】
2011527156.tif 000008
【図７】
2011527156.tif 000009
【図８】
2011527156.tif 000010
【図９】
2011527156.tif 000011
【図１０】
2011527156.tif 000012
【図１１】
2011527156.tif 000013
【図１２】
2011527156.tif 000014
【国際調査報告】
2011527156.tif 000015
2011527156.tif 000016
2011527156.tif 000017